(57)【要約】【課題】強風が吹く場所に設置でき、鳥の糞等が堆積することによる発電効率の低下を防ぐことができ、設置が容易であり、季節により発電効率の変動が少ない太陽光発電装置を提供する。【解決手段】太陽光発電装置は、六角柱の形状を有する太陽光パネル支持部５ａと、太陽光パネル支持部５ａの側面に設けられ、太陽光により発電を行う太陽光パネル６と、太陽光パネル６により発電した電力を消費する照明灯４ａとを有する。【選択図】図１
2007103806.tif 000002
【特許請求の範囲】
【請求項１】
筒状又は柱状の形状を有する支持手段と、
前記支持手段の側面に設けられ、太陽光により発電を行う太陽光発電手段と、
前記太陽光発電手段により発電した電力を消費する負荷と、
を有することを特徴とする太陽光発電装置。
【請求項２】
前記支持手段の底面と平行な断面の形状は、多角形又は円形であることを特徴とする請求項１に記載の太陽光発電装置。
【請求項３】
前記支持手段の底面と平行な断面の面積が、垂直方向下方ほど大きいことを特徴とする請求項１又は２に記載の太陽光発電装置。
【請求項４】
筒状又は柱状の形状を有し、側面の傾斜角を制御可能な支持手段と、
前記支持手段の側面に設けられ、太陽光により発電を行う太陽光発電手段と、
風速を測定する風速測定手段と、
前記風速測定手段の測定結果に応じて、前記側面の傾斜角を制御する第１の制御手段と、
前記太陽光発電手段により発電した電力を消費する負荷と、
を有することを特徴とする太陽光発電装置。
【請求項５】
前記負荷は、照明灯であることを特徴とする請求項１〜４のいずれかの項に記載の太陽光発電装置。
【請求項６】
時刻を出力する計時手段と、
前記計時手段が出力した時刻に基づいて、前記照明灯を点灯又は消灯させる第２の制御手段と、
を更に有することを特徴とする請求項５に記載の太陽光発電装置。
【請求項７】
太陽光発電装置の周囲の照度を測定する照度測定手段と、
前記照度測定手段が測定した照度に基づいて、前記照明灯を点灯又は消灯させる第３の制御手段と、
を更に有することを特徴とする請求項５に記載の太陽光発電装置。
【請求項８】
前記太陽光発電手段により発電した電力を蓄電する蓄電手段を更に有し、
前記負荷は、前記蓄電手段に蓄電されている電力を消費することを特徴とする請求項１〜７のいずれかの項に記載の太陽光発電装置。
【請求項９】
前記蓄電手段に蓄電する電力量が、所定の上限値以上とならないように制御するとともに、所定の下限値以下とならないように制御する第４の制御手段と、
を更に有することを特徴とする請求項８に記載の太陽光発電装置。
【発明の詳細な説明】
【技術分野】
【０００１】
本発明は、太陽光発電により得られる電力を、照明灯などの負荷に対して供給する太陽光発電装置に関する。
【背景技術】
【０００２】
従来から、太陽光を利用して発電を行う太陽光発電装置が知られている。この太陽光発電装置は、太陽光を効率的に受光するために、太陽光パネルのパネル面が地面に対して水平方向になるように設計されていた。
なお、その他にも太陽光パネルを利用して発電を行う装置として、特許文献１に記載されている太陽光発電を行う構造を持つ近接警報装置が知られている。
【特許文献１】特開平６−１２９５９７号公報
【発明の開示】
【発明が解決しようとする課題】
【０００３】
しかしながら、従来の太陽光発電装置では、太陽光を効率的に受光するために、太陽光発電装置の高い位置に太陽光パネルを設置していた。よって、強風が吹いている場合に、太陽光パネルがその風圧に耐えられず、破損するおそれがあるという問題があった。更に、太陽光パネル発電による照明は、台風や地震等の災害時にも有用であるが、特に台風など暴風が発生した場合には、破損により照明が使用できなくなるといった問題がある。
また、従来の太陽光発電装置は、太陽光パネルのパネル面が地面に対して水平方向になるように設置されていたため、鳥の糞等により太陽光パネルの一部が汚れ、発電効率が低下するという問題もあった。
また、従来の太陽光発電装置は、太陽光をより多く受光するために、太陽光パネルの地面と水平方向の面積が大きくなるように設計されていたため、太陽光発電装置を持ち運びにくいとともに、太陽光発電装置を設置するために広いスペースが必要になるという問題があった。
また、従来の太陽光発電装置では、太陽光パネルが地面と水平方向上方を向くように設計されていたため、季節により太陽光の入射角が変わり、発電効率が変動するという問題があった。
【０００４】
本発明は、上記事情に鑑みてなされたものであり、その目的は、強風が吹く場所に設置でき、鳥の糞等が堆積することによる発電効率の低下を防ぐことができ、設置が容易であり、季節により発電効率の変動が少ない太陽光発電装置を提供することにある。
【課題を解決するための手段】
【０００５】
本発明は、上記課題を解決するためになされたもので、請求項１に記載の発明は、筒状又は柱状の形状を有する支持手段と、前記支持手段の側面に設けられ、太陽光により発電を行う太陽光発電手段と、前記太陽光発電手段により発電した電力を消費する負荷とを有することを特徴とする太陽光発電装置である。
【０００６】
また、請求項２に記載の発明は、前記支持手段の底面と平行な断面の形状は、多角形又は円形であることを特徴とする請求項１に記載の太陽光発電装置である。
【０００７】
また、請求項３に記載の発明は、前記支持手段の底面と平行な断面の面積が、垂直方向下方ほど大きいことを特徴とする請求項１又は２に記載の太陽光発電装置である。
【０００８】
また、請求項４に記載の発明は、筒状又は柱状の形状を有し、側面の傾斜角を制御可能な支持手段と、前記支持手段の側面に設けられ、太陽光により発電を行う太陽光発電手段と、風速を測定する風速測定手段と、前記風速測定手段の測定結果に応じて、前記側面の傾斜角を制御する第１の制御手段と、前記太陽光発電手段により発電した電力を消費する負荷とを有することを特徴とする太陽光発電装置である。
【０００９】
また、請求項５に記載の発明は、前記負荷は、照明灯であることを特徴とする請求項１〜４のいずれかの項に記載の太陽光発電装置である。
【００１０】
また、請求項６に記載の発明は、時刻を出力する計時手段と、前記計時手段が出力した時刻に基づいて、前記照明灯を点灯又は消灯させる第２の制御手段とを更に有することを特徴とする請求項５に記載の太陽光発電装置である。
【００１１】
また、請求項７に記載の発明は、太陽光発電装置の周囲の照度を測定する照度測定手段と、前記照度測定手段が測定した照度に基づいて、前記照明灯を点灯又は消灯させる第３の制御手段とを更に有することを特徴とする請求項５に記載の太陽光発電装置である。
【００１２】
また、請求項８に記載の発明は、前記太陽光発電手段により発電した電力を蓄電する蓄電手段を更に有し、前記負荷は、前記蓄電手段に蓄電されている電力を消費することを特徴とする請求項１〜７のいずれかの項に記載の太陽光発電装置である。
【００１３】
また、請求項９に記載の発明は、前記蓄電手段に蓄電する電力量が、所定の上限値以上とならないように制御するとともに、所定の下限値以下とならないように制御する第４の制御手段とを更に有することを特徴とする請求項８に記載の太陽光発電装置である。
【発明の効果】
【００１４】
本発明では、太陽光発電装置に、地面と垂直方向に設置される筒状又は柱状の形状を有する支持手段の側面に設けられ、太陽光により発電を行う太陽光発電手段と、その太陽光発電手段により発電した電力を消費する負荷を設けるようにした。
これにより、筒状の側面に設置されている太陽光発電手段は、強風が吹いている場合であっても風圧の影響を大きく受けることがないため、太陽光発電手段が強風に耐えられずに破損することを防止することができる。
また、太陽光発電手段は、地面と垂直方向に設置される筒状の側面に設置されているため、鳥の糞やゴミなどが堆積しにくくなり、太陽光発電手段の発電効率が低下することを防止することができる。
また、太陽光発電手段は、地面と垂直方向に設置される筒状の側面に設置されているため、太陽光発電装置の設置に要する労力や費用を軽減することができる。
また、太陽光発電手段は、地面と垂直方向に設置される筒状の側面に設置されており、太陽光の入射角度が季節によって大きく変わることがないため、季節に応じて発電効率が変動することを防止することができる。
【発明を実施するための最良の形態】
【００１５】
始めに、本発明の第１の実施形態による太陽光発電装置について説明する。
図１は、本実施形態による太陽光発電装置の構成を示す正面図である。この太陽光発電装置は、基台１によって支持され、鉛蓄電池ボックス２、支柱３、照明灯４ａ（負荷）、太陽光パネル支持部５ａ（支持手段）、太陽光パネル６（太陽光発電手段）、造形物７を有する。
造形物７は、例えば、鳥や梟など動物等の形状をしており、当該装置の設置場所（公園や住宅地等）に合わせて太陽光パネル支持部５ａの上部に取り付けられるものである。また、設置場所の特徴のあるもの（市区町村のマーク等、設置主を象徴する企業マーク等）でもよい。この造形物７には、太陽光発電装置が設置されている場所の周囲の照度を測定するための照度センサ（照度測定手段）、タイマ（計時手段）などを組み込んでもよい。なお、照度センサやタイマは造形物７に組み込まずに、太陽光発電装置の他の箇所（鉛蓄電池ボックス２内など）に設置してもよい。
なお、当該装置の周囲の照度とは、照明灯が直接照射されない場所において測定したものとする。
【００１６】
なお、本実施形態による太陽光発電装置では、一例として、鉛蓄電池ボックス２の高さｘ１が１５００ｍｍ、鉛蓄電池ボックス２の最上部から太陽光パネル支持部５ａの最下部までの支柱３の長さｘ２が１５００ｍｍ、太陽光パネル支持部６の長さｘ３が１０００ｍｍ、照明灯の高さｘ４が２８００ｍｍとした。また、太陽光発電装置の高さは４０００ｍｍ（＝ｘ１＋ｘ２＋ｘ３）とした。また、太陽光発電装置の重量が、１６４ｋｇのものを用いた。
【００１７】
基台１は、太陽光発電装置を地面に垂直に固定するためのものであり、四角形の平板状の形状をしている。
鉛蓄電池ボックス２は、直方体状の箱型の形状をしており、基台１上に備え付けられている。鉛蓄電池ボックス２内には、図示しない鉛蓄電池（蓄電手段）、コントローラ（第２〜第４の制御手段）が内蔵されている。鉛蓄電池は、繰り返し充電・放電が可能な二次電池である。鉛蓄電池は、太陽光パネル６により発電した電力を蓄電する。また、鉛蓄電池は、蓄電している電力を照明灯４ａに対して供給する。本実施形態では、鉛蓄電池として１２Ｖ−５０Ａｈの性能のものを用いた。
コントローラは、図示しない過充電防止部と過放電防止部を備え、鉛蓄電池が蓄電する電力量が、所定の上限値以上とならないように制御するとともに、所定の下限値以下とならないように制御する。
【００１８】
また、コントローラは、当該太陽光発電装置の照明灯４ａの点灯や消灯を制御するものでもある。照明灯の点灯、消灯を制御するパターンとしては、タイマにより、所定の時刻（例えば、午後６時）になると点灯し、他の所定の時刻（例えば、午前６時）になると消灯するパターンや、タイマにより、所定の時刻（例えば、午後６時）になると点灯し、所定の時刻が経過した場合に消灯するパターンや、照度センサにより、当該装置の周囲の照度が所定照度以下になった場合に点灯し、所定照度以上になった場合に消灯するパターンなどを使用することができる。また、照度センサにより、当該装置の周囲の照度が所定照度以下になった場合に点灯し、タイマにより所定時間経過後（例えば、１２時間後）に消灯するパターンや、タイマにより、所定の時刻（例えば、午後６時）になると点灯し、照度センサにより所定の照度以上になったときに消灯するパターンや、上述した各パターンにおいて、点灯から所定時間経過後（例えば、６時間後）になると、照明灯４ａの照度を落として点灯するというパターンなどを使用することもできる。
【００１９】
支柱３は、例えばポール状のものからなり、ポールの中心軸が、地面と垂直方向の軸に対して平行になるように設置されている。支柱３は、錆止塗装が施された後で、ウレタン樹脂により塗装が施されている。
照明灯４ａは、鉛蓄電池に蓄電されている電力を利用して照明を点灯する。ここでは、照明灯４ａとして、１．１Ｗ×４本の超高輝度白色ＬＥＤ（Laser Emitting Diode）を用いている。照明灯４ａは、例えば、日没から１２時間程度点灯される。
【００２０】
図２（ａ）は、本実施形態による太陽光発電装置の一部の構成を示す斜視図である。図に示すように、本実施形態では、照明灯４ａとして平板状の構造を有する照明灯を用いている。なお、照明灯の構造としては、図２（ａ）に示した構造を有するものを用いる必要はなく、図２（ｂ）に示すような直方体状の照明灯４ｂや、その他の構造を有する照明灯を用いるようにしてもよい。
また、照明灯の構造を、図２（ｃ）に示すような構造としてもよい。図２（ｃ）では、支柱３に制御ボックス８が取り付けられている。制御ボックス８には、照明灯４ｃ〜４ｅがそれぞれ取り付けられたアーム９ａ〜９ｃが設置されている。制御ボックス８は、アーム９ａ〜９ｃの形状を制御することができるとともに、照明灯４ｃ〜４ｅの点灯・消灯を制御することができる。これにより、照明灯４ｃ〜４ｅの照射光を、制御ボックス８の制御に基づいて任意の位置へ照射することができる。なお、ここでは、照明灯４ｃ〜４ｅとして、全て白色のＬＥＤを用いているが、このような構成に限定されるものではない。例えば、照明灯４ｃ〜４ｅに、それぞれ青色、赤色、緑色などの異なる色のＬＥＤを取り付けてもよい。
また、ここでは、制御ボックス８に３本のアーム９ａ〜９ｃを設置する場合について説明したがこのような構成に限定されるものではない。例えば、制御ボックス８に、１本、２本、あるいは４本以上のアームを設置してもよい。
【００２１】
図３は、本実施形態による照明灯４ａ（図２（ａ））により照明を点灯させた場合の照度分布図である。この図は、太陽光発電装置が設置されている場所の周辺の照度分布を示している。太陽光発電装置の照明灯４ａの真下付近では、２０Ｌｘの照度が得られている。また、太陽光発電装置の支柱３の軸に対して、照明灯４ａが設置されている方向を前方向とした場合に、前方向の距離ｘ５＝４０００ｍｍ、左方向の距離ｘ６＝４０００ｍｍ、右方向の距離ｘ７＝４０００ｍｍの範囲内では、１Ｌｘ程度の照度が得られている。
【００２２】
図１に戻り、太陽光パネル支持部５ａは、六角柱の形状をしており中心軸が支柱３の中心軸と一致するように支柱３に取り付けられている。
太陽光パネル６は、太陽光を受光して、光エネルギを電気エネルギに変換することにより発電する。太陽光パネル６により発電した電力は、鉛蓄電池へ送られ蓄電される。本実施形態では、１５Ｗの太陽光パネル６を、六角柱の形状を有する太陽光パネル支持部５ａの６つの側面にそれぞれ取り付けている。
【００２３】
図４（ａ）は、本実施形態による太陽光発電装置の太陽光パネル支持部５ａの構成を示す平面図である。また、図４（ｂ）は、本実施形態による太陽光発電装置の太陽光パネル支持部５ａの構成を示す側面図である。
本実施形態では、対向する六角形の頂点間の距離ｘ８（図４（ａ））が３５６ｍｍの太陽光パネル支持部５ａを用いた。太陽光パネル支持部５ａは、長方形状の６つの側面ｍ１１〜ｍ１３、ｍ１４〜ｍ１６（図示省略）を持つ。これらの各側面ｍ１１〜ｍ１６にそれぞれ太陽光パネル６が取り付けられる。
なお、本実施形態では、太陽光パネル６を設置する太陽光パネル設置部５ａが、六角柱の形状をしている場合について説明しているが、四角柱や八角柱などのその他の多角柱を用いることもできる。
【００２４】
また、太陽光パネル支持部として、図５（ａ）、（ｂ）に示すような太陽光パネル支持部５ｂの構成とすることもできる。図５（ａ）は、太陽光パネル支持部５ｂの構成を示す平面図である。また、図５（ｂ）は、太陽光パネル５ｂの構成を示す側面図である。
太陽光パネル支持部５ｂは円柱の形状をしており、側面ｍ２１を有する。この側面ｍ２１に、例えばフィルム型の太陽光パネル６を曲面沿わせて取り付ける。
なお、図４では太陽光パネル支持部５ａの側面の断面が多角形である場合について説明し、図５では太陽光パネル支持部５ｂの側面の断面が円形である場合について説明したが、このような構成に限定されるものではない。また風圧に耐えられる形状として、例えば、太陽光パネル支持部の側面に太陽光パネルを取り付けることができれば、樽型等その他の形状であってもよい。
【００２５】
また、太陽光パネル支持部として、図６（ａ）、（ｂ）に示すような太陽光パネル支持部５ｃの構成を用いることもできる。図６（ａ）は、太陽光パネル支持部５ｃの構成を示す平面図である。また、図６（ｂ）は、太陽光パネル５ｃの構成を示す側面図である。
太陽光パネル支持部５ｃは六角錐台の形状をしており、台形の形状の側面ｍ３１〜ｍ３６を有する。これらの側面ｍ３１〜ｍ３６にそれぞれ太陽光パネル６が取り付けられる。
【００２６】
なお、図６（ａ）、（ｂ）の説明では、太陽光パネル支持部５ｃとして、六角錐台の形状のものを用いる場合について説明したが、このような構成に限定されるものではなく、四角錐台や八角錐台などのその他の多角錐台の形状をした太陽光パネル支持部や、円錐台の形状をした太陽光パネル支持部を用いることもできる。
また、太陽光パネル支持部は、地面に対して水平方向の断面積が、垂直方向下方ほど大きい構造を持つものを使用してもよい。例えば、太陽光パネル支持部の形状として、四角錐や八角錐などの多角錐の形状をしたものや、円錐の形状をしたものを用いてもよい。
【００２７】
上述したように、太陽光パネル支持部の構成として、多角錐台又は円錐台の形状をしたものを使用することにより、地面に対して垂直な側面を持つ太陽光パネル支持部（図４参照）に太陽光パネルを取り付ける場合に比べて、太陽光を効率的に受光することができる。
【００２８】
次に、本発明の第２の実施形態による太陽光発電装置について説明する。本実施形態による太陽光発電装置の構成は、図１と同じであるので、それらの詳細な説明を省略する。
本実施形態の太陽光発電装置は、風速計（風速測定手段）、風向計、制御部（第１の制御手段）を更に有する点と、太陽光パネル支持部の仕組みが異なる点とが、第１の実施形態による太陽光発電装置と相違している。風速計は、太陽光発電装置が設置されている場所の風速を測定する。
【００２９】
本実施形態による太陽光パネル支持部は、制御部の制御に基づいて、第１の状態と第２の状態に変形する。第１の状態は、第１の実施形態による太陽光パネル支持部の形状（図４参照）と同じであるので、その詳細な説明を省略する。
図７（ａ）は、本実施形態による太陽光パネル支持部の第２の状態の構成を示す平面図である。また、図７（ｂ）は、本実施形態による太陽光パネル支持部の第２の状態の構成を示す側面図である。
地面に対して垂直方向の軸と、太陽光パネル支持部の側面ｍ１１〜ｍ１６とが交わる角度を傾斜角θとすると、太陽光パネル支持部の第１の状態（図４）では、傾斜角θが０度であった。これに対して、太陽光パネル支持部の第２の状態（図７）では、傾斜角θが所定の角度θＡ（０度＜θＡ≦９０度）となるように、側面ｍ１１〜ｍ１６の位置が制御部により制御される。
本実施形態において太陽光パネルの傾斜角θを制御するためには、例えば、太陽光パネル支持部６ａの長方形の６つの側面ｍ１１〜ｍ１６に、その長方形と同じ面積の平板をそれぞれ重ね合わせ、太陽光パネル支持部の六角形の上面の６つの辺と、各平板の上側の短辺とが接するように蝶番等で係止し、油圧ポンプ等により蝶番等の開き角度を変化させて傾斜角θを制御することなどにより実現することができる。蝶番等の開き角度は、コントローラによって制御される油圧ポンプ等により制御される。６枚の平板の表面には、それぞれ太陽光パネルが取り付けられる。
なお、太陽光パネル支持部６ａから各平板を可動させる機構として、蝶番で係止し油圧ポンプで開き角度を調整するものとしたが、同様に各平板が可動できる機構であれば、特に限定はされないものとする。
【００３０】
図８は、本発明の第２の実施形態による太陽光発電装置の制御部の処理を示すフローチャートである。始めに、制御部は、風速計により太陽光発電装置が設置されている場所の風速を測定する（ステップＳ１）。そして、制御部は、風速計の測定結果が、所定の風速よりも小さいか否かについて判定する（ステップＳ２）。所定の風速としては、例えば、強風と判定する風速を設定する。
風速計の測定結果が所定の風速以上である場合、つまり、太陽光発電装置の設置場所に強風が吹いている場合には、制御部は、太陽光パネル支持部を第１の状態（図４参照）となるように制御する（ステップＳ３）。
一方、風速計の測定結果が所定の風速未満である場合、つまり、太陽光発電装置の設置場所に強風が吹いていない場合には、制御部は、太陽光パネル支持部を第２の状態（図７参照）となるように制御する（ステップＳ４）。
【００３１】
本発明の第２の実施形態による太陽光発電装置では、強風が吹いている場合には、太陽光パネル支持部の側面ｍ１１〜ｍ１６が閉じるようにした（傾斜角θ＝０となるようにした）ので、強風の風圧によって太陽光パネル支持部や太陽光パネルが破壊されることを防ぐことができる。
また、強風が吹いていない場合には、太陽光パネル支持部の側面ｍ１１〜ｍ１６が開くようにした（傾斜角θ＝θＡとなるようにした）ので、より効率的に太陽光パネルで太陽光を受光することができ、発電効率を高めることができる。
なお、図８の説明では、太陽光パネル支持部の形状が、第１の状態（図４）と第２の状態（図７）の２つの状態をとる場合について説明したが、これに限定されるものではない。例えば、風速計が測定する風速に応じて、太陽光パネル支持部の側面ｍ１１〜ｍ１６の傾斜角θを、連続的に変化させるようにしてもよい。
また、風向計により風向きを測定し、その風向きに応じて開閉する側面を制御するようにしてもよい。つまり、風圧を強く受ける側面については閉じ、その他の側面については開くように制御してもよい。
また、太陽光発電装置に、通信機能を持たせて気象情報を入手し、その気象情報に基づいて太陽光パネル指示部の側面ｍ１１〜ｍ１６を開閉させてもよい。
【００３２】
上述した本発明の第１及び第２の実施形態による太陽光発電装置は、例えば、都市部、公園、農道、林道などに設置することができる。
本発明の第１及び第２の実施形態による太陽光発電装置では、太陽光パネルによる発電により得られる電力が少ない場合であっても、照明灯４として少ない電力でも駆動可能なＬＥＤを用いているため、照明灯４を点灯することができる。
また、筒状や柱状の太陽光パネル支持部の側面に設置されている太陽光パネルは、強風が吹いている場合であっても風圧の影響を大きく受けることがないため、太陽光パネルが強風に耐えられずに破損することを防止することができる。例えば、本発明の第１の実施形態による太陽光発電装置では、６０ｍ／ｓの風速の風が吹いている場合であっても、太陽光パネルが破損することなく使用することができる。
また、太陽光パネルは、地面と垂直方向に設置される筒状の太陽光パネル支持部の側面に設置されているため、太陽光パネル上に鳥が止まることができず、鳥の糞やゴミなどが堆積しにくくなる。よって、太陽光パネルの発電効率が低下するのを防止することができる。
【００３３】
また、太陽光パネルは、地面と垂直方向に設置される筒状や柱状の太陽光パネル支持部の側面に設置されているため、太陽光をより多く受光できるように太陽光パネルを配置した太陽光発電装置に比べて持ち運びや設置が容易であり、太陽光発電装置を設置する際の労力や費用を軽減することができる。
また、太陽光パネルは、地面と垂直方向に設置される筒状の太陽光パネル支持部の側面に設置されており、太陽光の入射角度と照射時間とのバランスが季節によって大きく変わることがないため、季節に応じて発電効率が変動することを防止することができる。
なお、上記実施の形態では、電力消費負荷として、照明灯を用いて説明したが、負荷は、監視カメラや表示装置（電光掲示板等）であってもよく、照明灯に限定されないものである。
【００３４】
以上、この発明の実施形態について図面を参照して詳述してきたが、具体的な構成はこの実施形態に限られるものではなく、この発明の要旨を逸脱しない範囲の設計等も含まれる。
【図面の簡単な説明】
【００３５】
【図１】本発明の第１の実施形態による太陽光発電装置の構成を示す正面図である。
【図２】本実施形態による太陽光発電装置の一部の構成を示す斜視図である。
【図３】本実施形態による照明灯４ａ（図２（ａ））により照明を点灯させた場合の照度分布図である。
【図４】本実施形態による太陽光発電装置の太陽光パネル支持部５ａの構成を示す平面図及び側面図である。
【図５】太陽光発電装置の太陽光パネル支持部５ｂの構成を示す平面図及び側面図である。
【図６】太陽光発電装置の太陽光パネル支持部５ｃの構成を示す平面図及び側面図である。
【図７】本発明の第２の実施形態による太陽光パネル支持部の第２の状態の構成を示す平面図及び側面図である。
【図８】本実施形態による太陽光発電装置の制御部の処理を示すフローチャートである。
【符号の説明】
【００３６】
１・・・基台、２・・・鉛蓄電池ボックス、３・・・支柱、４ａ〜４ｅ・・・照明灯、５ａ〜５ｃ・・・太陽光パネル支持部、６・・・太陽光パネル、７・・・造形物、８・・・制御ボックス、９ａ〜９ｃ・・・アーム
【図１】
2007103806.tif 000003
【図２】
2007103806.tif 000004
【図３】
2007103806.tif 000005
【図４】
2007103806.tif 000006
【図５】
2007103806.tif 000007
【図６】
2007103806.tif 000008
【図７】
2007103806.tif 000009
【図８】
2007103806.tif 000010